(57)【要約】【課題】破損の発生を抑制する巻回体収容箱及び巻回体入り収容箱提供する。【解決手段】巻回体収容箱１は、巻回体を収容する本体部１０と、側蓋片２５を有する蓋部２０とを備える。側蓋片２５は、基本長方形から下後交点Ａまわりの角部が除去されて形成された切除辺２５ｔが、最内境界線ＩＮＬと最外境界線ＥＸＬとに挟まれた領域内に形成されている。最内境界線ＩＮＬは、交点２５ｂと交点２５ｃとを結ぶ仮想直線であり、最外境界線ＥＸＬは、下後交点Ａから天側辺２５ｑ側に前辺２５ｐの長さの２０％移動した点Ｅと、下後交点Ａから前辺２５ｐ側に天側辺２５ｑの長さの２０％移動した点Ｆと、を結ぶ仮想直線である。而して、側蓋片２５の浮き上がりが大きくなる部分の面積が少なくなって側蓋片２５の引っかかりが低減され、巻回体収容箱１の破損の発生を抑制することができる。巻回体入り収容箱は、巻回体と、巻回体収容箱１とを備える。【選択図】図２
2013079080.tif 000002
【特許請求の範囲】
【請求項１】
長尺物が巻かれた巻回体を収容する直方体状に形成された本体部であって、前記巻回体が収容されたときに前記巻回体の軸線と平行になる４つの長方形面のうちの１つが開口した開口面に形成されると共に、前記開口面に直交する２つの前記長方形面のうちの一方を構成する後板と、前記後板に対向する前記長方形面を構成する前板と、前記４つの長方形面に直角で前記直方体状の端面を構成する脇板と、を有する本体部と；
前記後板の前記開口面と交わる端辺である後板端辺に回動可能に連接された蓋部であって、前記蓋部を閉じたときに、前記開口面を覆う天板と、前記天板に連接されて前記前板の一部を覆う掩蓋片と、前記天板に連接されて前記脇板の一部を覆う側蓋片と、を有する蓋部とを備え；
前記側蓋片は、前記天板に連接する天側辺と、前記掩蓋片に隣接する前辺とを有する基本形状の長方形から、前記天側辺に対向する下辺と、前記前辺に対向する後辺とが交わる下後交点まわりの角部が除去されて形成され；
前記基本形状の長方形において、前記天側辺と前記後辺との交点と、前記前辺と前記下辺との交点と、を結ぶ仮想直線を最内境界線とし、前記下後交点から前記後辺に沿って前記天側辺側に前記前辺の長さの２０％移動した点と、前記下後交点から前記下辺に沿って前記前辺側に前記天側辺の長さの２０％移動した点と、を結ぶ仮想直線を最外境界線としたときに、前記下後交点まわりの角部が除去された部分の輪郭を構成する切除辺が、前記最内境界線と前記最外境界線とに挟まれた領域内に形成された；
巻回体収容箱。
【請求項２】
前記切除辺が前記下後交点側に凸の曲線状に形成された；
請求項１に記載の巻回体収容箱。
【請求項３】
前記掩蓋片は、前記天板に連接した折曲辺に対向する先端辺が、前記先端辺の中点から前記先端辺の端の側に移動するに連れて、前記折曲辺に直交する方向における前記折曲辺と前記先端辺との距離が短くなるように構成された；
請求項１又は請求項２に記載の巻回体収容箱。
【請求項４】
長尺物が巻かれた巻回体と；
請求項１乃至請求項３のいずれか１項に記載の巻回体収容箱とを備える；
巻回体入り収容箱。
【発明の詳細な説明】
【技術分野】
【０００１】
本発明は巻回体収容箱及び巻回体入り収容箱に関し、特に破損の発生を抑制する巻回体収容箱及び巻回体入り収容箱に関する。
【背景技術】
【０００２】
台所まわりで頻繁に使われるものに、食材や料理あるいは皿などの食器を料理ごと包む食品用ラップフィルムや、調理の際の水切りあるいは油切りのために食材を包んだり食材の下に敷いたりするキッチンペーパー等がある。ラップフィルムやキッチンペーパー等の長尺物は、ロール状に巻かれた巻回体とされたうえで、長い直方体の収容箱に収容されて販売されるのが一般的である。収容箱として、巻回体を収容する一面が開口された箱本体と、箱本体の後板に回動可能に連接されて開口された一面を塞ぐ蓋板と、蓋板に連接されて蓋板を閉じたときに後板に対向する箱本体の前板の上部を覆う掩蓋片と、蓋板に連接されて蓋板を閉じたときに後板及び前板に直交する箱本体の脇板の上部を覆う側蓋片とを備え、側蓋片は掩蓋片に直交して連接する接合片の上に重ねられて接合され、脇板はその上端辺に連接されて箱本体の外側下方に向けて折り曲げられたフラップ片を有しており、蓋板を閉じたときにフラップ片が接合片と係合してスナップ音が発生するように構成されたものがある（例えば、特許文献１参照。）。
【先行技術文献】
【特許文献】
【０００３】
【特許文献１】特開２００９−０３５３０１号公報（図１等）
【発明の概要】
【発明が解決しようとする課題】
【０００４】
上述のような収容箱は、１枚の原紙を型抜きしたものを折り曲げて組み立てられるのが一般的である。組み立てられたときに、側蓋片は、最も外側に配置され、面積が比較的小さいうえに、掩蓋片に片持ち状に連接された接合片に接合されているため、蓋板及び掩蓋片から離れた端部が外側に開きやすく、この開いた部分に、輸送の際の梱包用段ボール箱の蓋が重ねられて生じた段差部分や、店舗に陳列される際の棚あるいは他の収容箱が引っかかり、収容箱が破損してしまうことがあった。
【０００５】
本発明は上述の課題に鑑み、破損の発生を抑制する巻回体収容箱及び巻回体入り収容箱提供することを目的とする。
【課題を解決するための手段】
【０００６】
上記目的を達成するために、本発明の第１の態様に係る巻回体収容箱は、例えば図１及び図２（Ａ）に示すように、長尺物９１ｆが巻かれた巻回体９１ｒを収容する直方体状に形成された本体部１０であって、巻回体９１ｒが収容されたときに巻回体９１ｒの軸線９１ａと平行になる４つの長方形面のうちの１つが開口した開口面１０ｈに形成されると共に、開口面１０ｈに直交する２つの長方形面のうちの一方を構成する後板１４と、後板１４に対向する長方形面を構成する前板１２と、４つの長方形面に直角で直方体状の端面を構成する脇板１５と、を有する本体部１０と；後板１４の開口面１０ｈと交わる端辺である後板端辺１８に回動可能に連接された蓋部２０であって、蓋部２０を閉じたときに、開口面１０ｈを覆う天板２１と、天板２１に連接されて前板１２の一部を覆う掩蓋片２２と、天板２１に連接されて脇板１５の一部を覆う側蓋片２５と、を有する蓋部２０とを備え；側蓋片２５は、天板２１に連接する天側辺２５ｑと、掩蓋片２２に隣接する前辺２５ｐとを有する基本形状の長方形から、天側辺２５ｑに対向する下辺２５ｓと、前辺２５ｐに対向する後辺２５ｒとが交わる下後交点Ａまわりの角部が除去されて形成され；基本形状の長方形において、天側辺２５ｑと後辺２５ｒとの交点２５ｂと、前辺２５ｐと下辺２５ｓとの交点２５ｃと、を結ぶ仮想直線を最内境界線ＩＮＬとし、下後交点Ａから後辺２５ｒに沿って天側辺２５ｑ側に前辺２５ｐの長さの２０％移動した点Ｅと、下後交点Ａから下辺２５ｓに沿って前辺２５ｐ側に天側辺２５ｑの長さの２０％移動した点Ｆと、を結ぶ仮想直線を最外境界線ＥＸＬとしたときに、下後交点Ａまわりの角部が除去された部分の輪郭を構成する切除辺２５ｔが、最内境界線ＩＮＬと最外境界線ＥＸＬとに挟まれた領域内に形成されている。
【０００７】
このように構成すると、側蓋片の浮き上がりが大きくなる部分の面積が少なくなって側蓋片の引っかかりが低減され、巻回体収容箱の破損の発生を抑制することができる。
【０００８】
典型的には、例えば図１に示すように、側蓋片２５は、掩蓋片２２に連接された接合片２２ｊに重なって接着されて、天板２１と側蓋片２５との交線である天側辺２５ｑに接合片２２ｊが接しないように接合片２２ｊの外側に設けられることにより、天側辺２５ｑと接合片２２ｊとの間に凹部２５ｄが形成され；脇板１５は、脇板１５の開口面１０ｈと交わる端辺である脇板端辺１５ｓに設けられて本体部１０の外側に突き出る凸部１５ｐであって、蓋部２０を閉じたときに凹部２５ｄに嵌る凸部１５ｐを有する。
【０００９】
脇板端辺に凸部が設けられた状況下では、凸部によって側蓋片を外側へ開こうとする力が作用するため、側蓋片がより外側に開きがちになるが、このような状況下でも、切除辺が最内境界線と最外境界線とに挟まれた領域内に形成されていることで、側蓋片の引っかかりによる破損の発生を少なくすることができる。
【００１０】
また、本発明の第２の態様に係る巻回体収容箱は、例えば図２（Ｂ）に示すように、上記本発明の第１の態様に係る巻回体収容箱において、切除辺２５ｔが下後交点Ａ側に凸の曲線状に形成されている。
【００１１】
このように構成すると、切除辺と後辺及び／又は下辺とが交わる角部の引っかかりを低減することができる。
【００１２】
また、本発明の第３の態様に係る巻回体収容箱は、例えば図１に示すように、上記本発明の第１の態様又は第２の態様に係る巻回体収容箱１において、掩蓋片２２は、天板２１に連接した折曲辺２１ｆに対向する先端辺２２ｔが、先端辺２２ｔの中点から先端辺２２ｔの端の側に移動するに連れて、折曲辺２１ｆに直交する方向における折曲辺２１ｆと先端辺２２ｔとの距離が短くなるように構成されている。
【００１３】
このように構成すると、長尺物の切断方法の選択の幅を増やすことができる。なお、本発明の第３の態様に係る巻回体収容箱のように、掩蓋片の脇板に隣接する部分の、折曲辺に直交する方向における折曲辺と先端辺との距離が短いほど、当該方向における接合片と側蓋片とが接合する距離が短くなるため、側蓋片が外側に開きがちになるが、このような状況下でも、切除辺が最内境界線と最外境界線とに挟まれた領域内に形成されていることで、側蓋片の引っかかりによる破損の発生を少なくすることができる。
【００１４】
また、本発明の第４の態様に係る巻回体入り収容箱は、例えば図１に示すように、長尺物が巻かれた巻回体９１ｒと；上記本発明の第１の態様乃至第３の態様のいずれか１つの態様に係る巻回体収容箱１とを備える。
【００１５】
このように構成すると、破損の発生が少ない巻回体入り収容箱となる。
【発明の効果】
【００１６】
本発明によれば、側蓋片の浮き上がりが軽減され、側蓋片の引っかかりによる破損の発生を少なくすることができる。
【図面の簡単な説明】
【００１７】
【図１】本発明の実施の形態に係るラップカートンを含むラップ入りカートンの斜視図である。
【図２】（Ａ）は本発明の実施の形態に係るラップカートンの側面図、（Ｂ）は本発明の実施の形態の変形例に係るラップカートンの部分側面図である。
【図３】（Ａ）〜（Ｃ）は本発明の実施例に係るラップカートンの側面図、（Ｄ）は比較例に係るラップカートンの側面図である。
【図４】実施例における各種のラップカートンの試験結果を示す図である。
【発明を実施するための形態】
【００１８】
以下、図面を参照して本発明の実施の形態について説明する。なお、各図において互いに同一又は相当する部材には同一あるいは類似の符号を付し、重複した説明は省略する。
【００１９】
まず図１を参照して、本発明の実施の形態に係る、巻回体収容箱としてのラップカートン１、及びラップカートン１に巻回体としてのラップロール９１ｒが収容された巻回体入り収容箱としてのラップ入りカートン１００を説明する。図１は、ラップ入りカートン１００の斜視図である。図１は、開蓋状態を示している。ラップロール９１ｒは、薄膜状の長尺物としてのラップフィルム９１ｆが円筒状の巻芯に軸線９１ａまわりに巻かれてロール状に形成されたものである。以下の説明において、ラップロール９１ｒとラップフィルム９１ｆとの外観形状の区別をしない場合は、「ラップ９１」と総称する。ラップフィルム９１ｆは、本実施の形態では、ポリ塩化ビニリデンを原料として厚さが５〜２０μｍに形成されている。ラップカートン１は、ラップロール９１ｒを収容する本体部１０と、本体部１０に連接された蓋部２０とを備えている。
【００２０】
本体部１０は、未使用のラップロール９１ｒを収容できる大きさの直方体に対して、細長い面の１つが開口面１０ｈとなっている箱である。本体部１０の大きさは、収容した未使用のラップロール９１ｒを軸線９１ａ回りに回転させるのを妨げない隙間が形成される一方で、できるだけ小さく形成されており、幅及び高さは各々概ね３０〜６０ｍｍ、長さは概ね２００〜４００ｍｍの範囲内で形成されているとよく、本実施の形態では幅４４ｍｍ、高さ４４ｍｍ、長さ３１０ｍｍの大きさに形成されている。本体部１０は、開口面１０ｈと協働して直方体の側面を構成する前板１２、底板１３、後板１４と、直方体の端面を構成する２つの脇板１５とを有している。底板１３は、開口面１０ｈに対向している。前板１２及び後板１４は、開口面１０ｈ及び底板１３に直交している。脇板１５は、前板１２、底板１３、後板１４の各々よりも面積が小さく、典型的には正方形に形成されているが、縦横の長さが異なる矩形であってもよい。以下の説明においては、水平な面に底板１３が載置された状態を基準として、底板１３側を下、開口面１０ｈ側を上として説明する場合もある。
【００２１】
脇板１５の上端の辺である脇板端辺１５ｓの中央部分には、３ｍｍ程度上方に延びた小片が外側に折り返されて形成された凸部としての突起１５ｐが設けられている。突起１５ｐは、２つあるそれぞれの脇板１５の上端に設けられている。また、本体部１０は、前板端辺１９で前板１２と連続する副板１６を有している。前板端辺１９は、前板１２と開口面１０ｈとが交わる部分の前板１２の端辺である。副板１６は、前板１２と略同じ大きさであるが底板１３とは接しておらず、前板１２よりも本体部１０の内側に設けられている。副板１６は、底板１３側の端辺が、長手方向に沿って前板１２に接着されている。
【００２２】
蓋部２０は、本体部１０の開口面１０ｈを塞ぐ部材である。蓋部２０は、天板としての蓋板２１と、掩蓋片２２と、切断刃２３と、側蓋片２５とを有している。蓋板２１は、開口面１０ｈと略同じ大きさの矩形平板状部材であり、蓋板２１を開口面１０ｈに合わせることで本体部１０を閉塞した直方体とすることができるようになっている。蓋板２１が開口面１０ｈと略同じ大きさとは、蓋板２１が、掩蓋片２２の厚さ及び側蓋片２５の厚さの分大きく、蓋部２０の開閉を妨げない隙間が形成される程度大きい場合を含むことを意味している。蓋板２１は、長手方向の一辺が、本体部１０の後板端辺１８で連接している。換言すれば、本体部１０と蓋板２１とは、後板端辺１８を介して連接している。後板端辺１８は、後板１４と開口面１０ｈとが交わる部分の後板１４の端辺である。蓋板２１は、後板端辺１８を回転軸線として、本体部１０に対して回動することができるように構成されている。
【００２３】
掩蓋片２２は、折曲辺２１ｆを介して蓋板２１と直交し、蓋部２０を閉じたときに底板１３に向かって延びるように設けられている。掩蓋片２２は、ラップロール９１ｒの軸線９１ａが延びる方向（以下「軸線方向Ｄ」という。）の両端における高さ（長方形の前板１２の短辺方向の長さ）が、前板１２の短辺方向の長さの約１／２で、軸線方向Ｄの中央部の高さが、前板１２の短辺方向の長さの約３／４となっている。折曲辺２１ｆに対向する先端辺２２ｔは、軸線方向Ｄにおける中央からそれぞれの端部に移動するに連れて、軸線方向Ｄに直交する方向における折曲辺２１ｆと先端辺２２ｔとの距離が短くなるように形成されている。このような構成により、先端辺２２ｔがＶ字状に形成されることとなる。掩蓋片２２は、蓋部２０が閉じられたときに、前板１２に沿って前板１２の外側に重なり、前板１２の上部を五角形状に覆うこととなる。掩蓋片２２の先端辺２２ｔには、ラップフィルム９１ｆを切断するための切断刃２３が取り付けられている。切断刃２３は、刃先が先端辺２２ｔから出るように、先端辺２２ｔに沿ってＶ字状に設けられている。
【００２４】
側蓋片２５は、蓋板２１及び掩蓋片２２の双方に直交して設けられている。側蓋片２５は、蓋板２１（掩蓋片２２）の両端に合計２つ設けられている。側蓋片２５は、掩蓋片２２に連接された接合片２２ｊに接着剤で固定されている。接合片２２ｊは、側蓋片２５よりも小さく、側蓋片２５に包含される大きさに形成されている。接合片２２ｊは、蓋板２１と側蓋片２５との交線である天側辺２５ｑに対して、大部分が隙間を空けて平行になるように配設されている。これにより、側蓋片２５の内側には、接合片２２ｊと蓋板２１（天側辺２５ｑ）との間に、凹部２５ｄが形成されている。凹部２５ｄには、蓋部２０を閉じたときに、脇板１５の上端に設けられた突起１５ｐが嵌ることとなる。
【００２５】
ここで図２（Ａ）を併せて参照して、側蓋片２５の構成をより詳しく説明する。側蓋片２５は、基本形状が、長辺が蓋板２１の短辺と同じ長さで、短辺が掩蓋片２２の中央部における高さ（Ｖ字状の先端から折曲辺２１ｆまでの最短距離）と略同じ長さの長方形に形成されている。基本形状の長方形（以下、単に「基本長方形」という。）は、上述の天側辺２５ｑと、後板１４側の辺である後辺２５ｒと、底板１３側の辺である下辺２５ｒと、前板１２側の辺である前辺２５ｐとを輪郭とする四角形である。この基本長方形を基に、側蓋片２５は、下辺２５ｓの延長線と後辺２５ｒの延長線とが交わる点である下後交点Ａの周辺の角部が取り除かれている。図２（Ａ）では、基本長方形の取り除かれた角部が二点鎖線で示されている。以下の説明では、便宜上、基本長方形を対象とする場合と、基本長方形が変形した側蓋片２５の輪郭を対象とする場合との双方において、天側辺２５ｑ、後辺２５ｒ、下辺２５ｓ、前辺２５ｐのうちの対応する部分については、同一の称呼を用いることとする（これにより、下後交点Ａを、下辺２５ｓと後辺２５ｒとが交わる点と見ることができる）。側蓋片２５は、下後交点Ａまわりの角部が除去されることで、切除辺２５ｔが形成される。切除辺２５ｔは、側蓋片２５の輪郭の一部である。切除辺２５ｔは、端部が、下辺２５ｓ及び後辺２５ｒにそれぞれ接続されている。
【００２６】
切除辺２５ｔは、最内境界線ＩＮＬと最外境界線ＥＸＬとに挟まれた領域に形成されている。最内境界線ＩＮＬは、基本長方形における、天側辺２５ｑと後辺２５ｒとの交点２５ｂと、前辺２５ｐと下辺２５ｓとの交点２５ｃとを結ぶ仮想の直線である。最外境界線ＥＸＬは、点Ｅと点Ｆとを結ぶ仮想の直線である。点Ｅは、基本長方形における、下後交点Ａから交点２５ｂに向かって後辺２５ｒ上を後辺２５ｒの長さの２０％移動した点である。点Ｆは、基本長方形における、下後交点Ａから交点２５ｃに向かって下辺２５ｓ上を下辺２５ｓの長さの２０％移動した点である。切除辺２５ｔは、その延長線と後辺２５ｒとが交わる点を切除辺一端２５ｅと、その延長線と下辺２５ｓとが交わる点を切除辺他端２５ｆとしたときに、切除辺一端２５ｅが、下後交点Ａを基準として、後辺２５ｒの長さの２０％〜１００％の間で位置決定され、切除辺他端２５ｆが、下後交点Ａを基準として、下辺２５ｓの長さの２０％〜１００％の間で位置決定されるように構成されている。好ましくは、切除辺一端２５ｅは後辺２５ｒの長さに対して、切除辺他端２５ｆは下辺２５ｓの長さに対して、それぞれ下後交点Ａを基準として２５％〜５０％の間で位置決定されるとよい。本実施の形態では、切除辺一端２５ｅ及び切除辺他端２５ｆが共に５０％の位置に決定されたうえで、切除辺２５ｔと後辺２５ｒ及び下辺２５ｓとで形成された角が面取りされ（丸みが付けられ）ている。
【００２７】
再び図１を主に参照しつつ適宜図２（Ａ）を参照して、ラップカートン１の構成の説明を続ける。本体部１０及び蓋部２０は、本実施の形態では、約０．４５〜０．７ｍｍ厚のコートボール紙が加工されて形成されている。本実施の形態では、説明の便宜上、本体部１０と蓋部２０とを機能の観点から区別しているが、本体部１０及び蓋部２０は、１枚の原紙を切り出して組み立てられて一体に形成されている。ラップカートン１の組み立て、及びラップ入りカートン１００の製造は、典型的にはカートニングマシンによって自動で行われる。本体部１０を構成する脇板１５等や、蓋部２０を構成する側蓋片２５等の形成は、切り出された原紙が適時にプロペラによって折り曲げられることにより行われる。本体部１０及び蓋部２０の表面は、消費者の購買意欲を惹起するようなデザインが印刷されたうえで、全体に表面処理が施されている。このとき、表面処理としてＯＰニスを塗布してもよい。ＯＰニスを塗布すると、すべり性が向上するため、カートニングマシンにおける成形の際の生産性を向上させることができる。
【００２８】
ラップカートン１は、前板１２の上部中央に、フラップ１２ｆが形成されている。フラップ１２ｆは、本実施の形態では、軸線方向Ｄの長さが前板１２（以下、単に前板１２というときは、フラップ１２ｆ等を含めた長方形の前板１２全体をいう。）の長さの約１／３、高さ方向の長さが前板１２の長さの約１／２に形成されている。フラップ１２ｆは、輪郭が、前板端辺１９を概ね３等分する点の一方から、底板１３側かつ遠い方の脇板１５側に進みつつ、上記概ね３等分する点の他方に至るように、前板１２の面内が切断されることで形成されている。フラップ１２ｆの下側の辺は、３つの凸部ができるような波形に形成されている。フラップ１２ｆは、前板端辺１９で副板１６と連接しており、前板端辺１９を回転軸線として回動することができるように構成されている。フラップ１２ｆの概ね図心部分には、保持部１２ｆｓが設けられている。保持部１２ｆｓは、ＵＶニスが塗布されることで形成されている。保持部１２ｆｓを形成するＵＶニスは、ラップフィルム９１ｆに対して付着するが、紙や埃等は付着しない特性を有している。フラップ１２ｆは、蓋部２０を閉じたときに掩蓋片２２に覆われて外面に表れない大きさに形成されている。なお、蓋部２０を閉じたときに掩蓋片２２に覆われる前板１２の部分全体に、ＵＶニスを塗布することとして、ラップフィルム９１ｆの巻き戻り防止効果を向上させてもよい。なお、保持部１２ｆｓは、ＵＶニスを塗布するほかに、ラップフィルム９１ｆが粘着する構成のフィルムやラベル等で形成されていてもよい。
【００２９】
引き続き図１及び図２（Ａ）を参照して、ラップ入りカートン１００の作用を説明する。ラップカートン１の作用は、ラップ入りカートン１００の作用の一環として説明する。工場で製造されたラップ入りカートン１００は、複数本が梱包用の段ボール箱（不図示）に詰められて小売店等に輸送される。工場においてラップ入りカートン１００が段ボール箱に詰められる際、通常は、脇板１５から段ボール箱の開口に挿入され、その後に段ボール箱の蓋を折り畳んで開口が閉じられる。段ボール箱の蓋を折り畳むと、蓋が折り重なった部分に段差が生じる。ラップカートン１は、組み立てられる際の原紙が折り曲げられた後の復元力、及び／又は、脇板端辺１５ｓに設けられた突起１５ｐが外側に開こうとする力により、側蓋片２５が脇板１５から開き気味になり、特に、構造上本体部１０に付着していない後辺２５ｒ及び下辺２５ｓの部分の開きが大きくなりがちである。
【００３０】
脇板１５から開き気味になりになった側蓋片２５は、段ボール箱の蓋の重なり部分に生じた段差に引っかかりやすく、引っかかると側蓋片２５が接合片２２ｊから剥がれてしまい、ラップカートン１の破損に至る場合も考えられる。しかしながら、ラップカートン１は、側蓋片２５の構成として、基本長方形の下後交点Ａまわりの角部が除去されて形成された切除辺２５ｔが最内境界線ＩＮＬと最外境界線ＥＸＬとに挟まれた領域内に形成されているので、段ボール箱の蓋部分に生じた段差に引っかかることがなく、ラップカートン１の破損を抑制することができる。換言すれば、ラップカートン１は破壊に対する耐性、つまり強度が向上することとなる。脇板１５から開き気味になりになった側蓋片２５が他の物に引っかかることは、店舗等によっても生じ得るが、上述のように、ラップカートン１は、側蓋片２５の下辺２５ｓと後辺２５ｒとが交わる角部が他の物に引っかかることがほとんどなく、破損を抑制することができる。
【００３１】
消費者の手に渡った未開封のラップ入りカートン１００を初めて使用する際は、掩蓋片２２の先端辺２２ｔにミシン目（不図示）を介して連接されて前板１２の下部に貼り付けられている切取片（不図示）を、前板１２から剥がしつつミシン目（不図示）で切断して掩蓋片２２から分離する。このようにラップカートン１を開封することで、蓋部２０が本体部１０に対して後板端辺１８まわりに回動可能な状態となる。開封されたラップ入りカートン１００は、蓋部２０を開けると、本体部１０の中にラップロール９１ｒが入っている。ラップロール９１ｒには、ラップフィルム９１ｆの先端に引出シール（不図示）が貼り付けられており、引出シール（不図示）を摘んで引き出すことでラップフィルム９１ｆの先端がラップロール９１ｒから剥離し、容易にラップフィルム９１ｆを引き出すことができる。
【００３２】
ラップフィルム９１ｆを使用する際は、ラップカートン１を片手で持ち、もう一方の手でラップフィルム９１ｆの先端を摘み、ラップロール９１ｒからラップフィルム９１ｆを必要な長さ分引き出して切断刃２３で切断する。このとき、ラップフィルム９１ｆを必要な長さ分引き出した状態で蓋部２０を閉じ、ラップフィルム９１ｆを前板１２と掩蓋片２２とで挟み、掩蓋片２２の図心を親指で押さえ、切断刃２３の中央を引き出されたラップフィルム９１ｆに食い込ませるようにラップ入りカートン１００を軸線９１ａまわりにひねると、ラップフィルム９１ｆがよじれることなくきれいに切断することができ、好適である。なお、蓋部２０を閉じる際は、脇板端辺１５ｓに設けられた突起１５ｐが凹部２５ｄに落ちたときに「カチッ」というスナップ音が生じるので、蓋部２０が閉じたことが分かる。
【００３３】
切断された後に前板１２と掩蓋片２２との間に挟まれているラップフィルム９１ｆは、保持部１２ｆｓに付着しているため、ラップロール９１ｒへの巻き戻りが防止される。なお、蓋部２０を閉じたときに掩蓋片２２に覆われる前板１２の部分全体にＵＶニスが塗布されている場合は、ラップフィルム９１ｆの巻き戻り防止効果が一層高まることとなる。また、次回ラップフィルム９１ｆを使用する際に、蓋部２０を開けると、フラップ１２ｆが前板１２から浮いているので、保持部１２ｆｓに付着しているラップフィルム９１ｆの先端も前板１２から浮くこととなり、摘みやすい。
【００３４】
以上の説明では、側蓋片２５の輪郭の一部である切除辺２５ｔが、下後交点Ａを基準として、基本長方形における、後辺２５ｒの長さの５０％に位置に決定された切除辺一端２５ｅと、下辺２５ｓの長さの５０％の位置に決定された切除辺他端２５ｆとを結んだ直線状に形成されているとしたが、図２（Ｂ）に示すラップカートン１Ｒのように、下後交点Ａ側に膨らんだ（凸になった）曲線（円弧又は楕円の弧）状に形成されていてもよい。このようにすると、側蓋片２５と接合片２２ｊとの接触面積を大きくすることができる。切除辺２５ｔが曲線状に形成された場合であっても、切除辺２５ｔは、全体が最内境界線ＩＮＬと最外境界線ＥＸＬとに挟まれた領域内に収まるように形成される。
【実施例】
【００３５】
以下、実施例により本発明を説明するが、本発明はこれらの実施例に限定されるものではない。以下の説明においてラップカートン１の構成に言及しているときは、適宜図１及び図２（Ａ）を参照することとする。以下に示す実施例では、切除辺２５ｔを形成する位置を変えた４種類のラップカートンに対して、切除辺２５ｔをプッシュプルゲージで引き上げて、側蓋片２５が破断したときの力を計測した。なお、側蓋片２５の破断は、側蓋片２５と接合片２２ｊとの接着が剥がれるか、接合片２２ｊが側蓋片２５に接着したままで掩蓋片２２から分断したことをもって判断した。
【００３６】
図３に、試験に用いた各種のラップカートンの側面を示す。図３（Ａ）は第１の実施例に係るラップカートン１Ａ、図３（Ｂ）は第２の実施例に係るラップカートン１Ｂ、図３（Ｃ）は第３の実施例に係るラップカートン１Ｃ、図３（Ｄ）は比較例に係るラップカートン９を示している。ラップカートン１Ａは、下後交点Ａを基準として、切除辺一端２５ｅが基本長方形における後辺２５ｒの長さに対して、切除辺他端２５ｆが基本長方形における下辺２５ｓの長さに対して、それぞれ３３％の位置として、切除辺２５ｔＡが直線で形成されている。ラップカートン１Ｂは、下後交点Ａを基準として、切除辺一端２５ｅが基本長方形における後辺２５ｒの長さに対して、切除辺他端２５ｆが基本長方形における下辺２５ｓの長さに対して、それぞれ６６％の位置として、切除辺２５ｔＢが直線で形成されている。ラップカートン１Ｃは、下後交点Ａを基準として、切除辺一端２５ｅが基本長方形における後辺２５ｒの長さに対して、切除辺他端２５ｆが基本長方形における下辺２５ｓの長さに対して、それぞれ１００％の位置として、切除辺２５ｔＣが直線で形成されている（切除辺２５ｔが最外境界線ＥＸＬ上にある）。ラップカートン９は、切除辺２５ｔ９が、基本長方形における後辺２５ｒの長さの４０％を半径とする１／４円の円弧である、下後交点Ａまわりの切除態様となっている。ラップカートン９の切除辺２５ｔ９は、全体が、最内境界線ＩＮＬと最外境界線ＥＸＬとに挟まれた領域の外にある。試験は、各ラップカートン１Ａ、１Ｂ、１Ｃ、９について、それぞれ５回ずつ行った。
【００３７】
図４に試験結果を示す。ラップカートン１Ａは、平均１．４２ｋｇの力で破断に至った。ラップカートン１Ｂは、平均１．１０ｋｇの力で破断に至った。ラップカートン１Ｃは、平均１．０９ｋｇの力で破断に至った。ラップカートン９は、平均０．４２ｋｇの力で破断に至った。上記の試験結果から分かるように、切除辺２５ｔが最内境界線ＩＮＬと最外境界線ＥＸＬとに挟まれた領域に形成されている側蓋片２５をもつラップカートン１Ａ、１Ｂ、１Ｃが破断に対する耐性に優れており、その中でも、切除辺一端２５ｅは基本長方形における後辺２５ｒの長さに対して、切除辺他端２５ｆは基本長方形における下辺２５ｓの長さに対して、それぞれ下後交点Ａを基準として２５％〜５０％の間で位置決定された切除辺２５ｔをもつラップカートン１Ａがより破断に対する耐性に優れていることが確認できた。
【符号の説明】
【００３８】
１    ラップカートン
１０  本体部
１０ｈ  開口面
１２  前板
１３  底板
１４  後板
１５  脇板
１５ｐ  突起
１５ｓ  脇板端辺
１８  後板端辺
２０  蓋部
２１  蓋板
２１ｆ  折曲辺
２２  掩蓋片
２２ｔ  先端辺
２２ｊ  接合片
２５  側蓋片
２５ｄ  凹部
２５ｐ  前辺
２５ｑ  天側辺
２５ｒ  後辺
２５ｓ  下辺
２５ｔ  切除辺
９１ａ  軸線
９１ｆ  長尺物
９１ｒ  巻回体
１００  ラップ入りカートン
Ａ    下後交点
ＥＸＬ  最内境界線
ＩＮＬ  最外境界線
【図１】
2013079080.tif 000003
【図２】
2013079080.tif 000004
【図３】
2013079080.tif 000005
【図４】
2013079080.tif 000006